(57)【特許請求の範囲】
【請求項１】
モバイル・アクセス・ゲートウェイ（ＭＡＧ）論理機能とローカル・モビリティ・アンカー（ＬＭＡ）論理機能とを備えるプロキシＭＩＰｖ６プロトコルを使用したネットワーク内で移動装置（ＭＳ）の移動性を管理するための方法であって、
移動装置（ＭＳ）が、同じＬＭＡに接続されたそれぞれ異なるＭＡＧ間でローミングしており、前記移動装置（ＭＳ）がＭＡＧのアクセス・ネットワークへのエントリを実施するとき、前記ＭＡＧが、前記移動装置（ＭＳ）を前記ＬＭＡにバインドするためにプロキシ・バインディング更新（ＰＢＵ）を発行する、方法において、
ＬＭＡ時間が初期化され、前記ＬＭＡ内に維持され、前記方法が、前記ＬＭＡと、それに接続された前記ＭＡＧのすべてとの間の相対時間同期手順を備え、
前記手順が、各ＭＡＧが、前記ＬＭＡ時間を要求する特定のセマンティクスを有するＰＢＵを送信することを定めており、前記特定のセマンティクスが、ＭＩＰｖ６  ＰＢＵの気付けアドレス（ＣｏＡ）およびホーム・アドレス（ＨｏＡ）を表す事前定義された値に対応し、前記事前定義された値は、領域空間において競合しないＮＵＬＬまたは他の値であり、
前記ＬＭＡによって送信されたＰＢＵ肯定応答（ＰＢＵ−Ａｃｋ）がこうしたＬＭＡ時間を含み、前記ＬＭＡ時間がさらに各ＭＡＧ内で維持され、
前記方法がさらに、前記ＭＡＧのすべてが、送信される各ＰＢＵ内に、現在の維持されたＬＭＡ時間を含むタイムスタンプを挿入するバインディング手順を備え、
前記バインディング手順が、ＬＭＡタイムスタンプが付けられたＰＢＵをＭＡＧから受信すると、前記ＬＭＡが、
−  前記移動装置（ＭＳ）を前記ＬＭＡに現在バインドしている他のＭＡＧがない場合、あるいは前記タイムスタンプが、前記移動装置（ＭＳ）を現在バインドしている前記ＭＡＧから受信された前記タイムスタンプより新しい場合は成功ＰＢＵ−Ａｃｋを、
−  前記タイムスタンプが、前記移動装置（ＭＳ）を現在バインドしている前記ＭＡＧから受信された前記タイムスタンプより新しくない場合は期限切れＰＢＵ−Ａｃｋを送信することを定めていることを特徴とする方法。
【請求項２】
相対時間同期手順が最初に、ＭＡＧ開始時に実施されることを特徴とする請求項１に記載の方法。
【請求項３】
ＭＡＧとＬＭＡの間の接続中にさらなる相対時間同期手順が実施され、前記手順が、前記ＭＡＧ内でＬＭＡ時間補正を達成するために前記ＭＡＧによって要求されることを特徴とする請求項２に記載の方法。
【請求項４】
ＭＡＧが、前記ＭＡＧが接続された前記ＬＭＡのすべてとの相対時間同期手順を実施し、前記ＬＭＡ時間のそれぞれが、前記ＭＡＧ内で別々に維持されることを特徴とする請求項１乃至３のいずれか１項に記載の方法。
【請求項５】
時間精度がＬＭＡ時間に関連付けられ、前記時間精度が、前記ＭＡＧがＬＭＡ時間を前記精度内に維持するためにＰＢＵ−Ａｃｋ内に挿入されることを特徴とする請求項１乃至４のいずれか１項に記載の方法。
【請求項６】
ＬＭＡ時間が、ＬＭＡ活動および再開によって常に増加するように、前記ＬＭＡによって初期化され維持されることを特徴とする請求項１乃至５のいずれか１項に記載の方法。
【請求項７】
プロキシＭＩＰｖ６プロトコルのためのモバイル・アクセス・ゲートウェイ（ＭＡＧ）であって、
前記ＭＡＧが、移動装置（ＭＳ）をローカル・モビリティ・アンカー（ＬＭＡ）にバインドするためにプロキシ・バインディング更新（ＰＢＵ）を発行し、
前記ＭＡＧが、ＰＢＵ内の特定のセマンティクスを使用することによってＬＭＡとの相対時間同期手順を要求し、前記特定のセマンティクスが、ＭＩＰｖ６  ＰＢＵの気付けアドレス（ＣｏＡ）およびホーム・アドレス（ＨｏＡ）を表す事前定義された値に対応し、前記事前定義された値は、領域空間において競合しないＮＵＬＬまたは他の値であり、
前記ＭＡＧが、その中にＬＭＡ時間を維持する手段と、送信される各ＰＢＵ内に、現在の維持されたＬＭＡ時間を含むタイムスタンプを挿入する手段とを備える、モバイル・アクセス・ゲートウェイ（ＭＡＧ）。
【請求項８】
請求項７に記載のモバイル・アクセス・ゲートウェイ（ＭＡＧ）と、
プロキシＭＩＰｖ６プロトコルのためのローカル・モビリティ・アンカー（ＬＭＡ）とを備えるネットワークであって、
前記ＬＭＡが、移動装置（ＭＳ）がエントリを実施するための手段によって、モバイル・アクセス・ゲートウェイ（ＭＡＧ）によって送信されたＰＢＵに応答してプロキシ・バインディング更新（ＰＢＵ）肯定応答（ＰＢＵ−Ａｃｋ）を発行し、
前記ＬＭＡが、ＬＭＡ時間を初期化し、前記ＬＭＡ内に維持する手段と、ＭＡＧからＬＭＡタイムスタンプが付けられたＰＢＵを受け取ると、前記ＬＭＡが、
−  前記移動装置（ＭＳ）を前記ＬＭＡに現在バインドしている他のＭＡＧがない場合、あるいは前記タイムスタンプが、前記移動装置（ＭＳ）を現在バインドしている前記ＭＡＧから受信された前記タイムスタンプより新しい場合は成功ＰＢＵ−Ａｃｋを、
−  前記タイムスタンプが、前記移動装置（ＭＳ）を現在バインドしている前記ＭＡＧから受信された前記タイムスタンプより新しくない場合は期限切れＰＢＵ−Ａｃｋを送信することを定めているバインディング手順を実施する手段とを備える、ローカル・モビリティ・アンカー（ＬＭＡ）とを備える、プロキシＭＩＰｖ６プロトコルを使用したネットワーク。
【発明の詳細な説明】
【技術分野】
【０００１】
本発明は、プロキシＭＩＰｖ６プロトコルを使用したネットワーク内の移動装置の移動性を管理するための方法、こうしたプロトコルのためのモバイル・アクセス・ゲートウェイＭＡＧ論理機能、およびローカル・モビリティ・アンカーＬＭＡ論理機能、ならびにこうした論理機能を備えるプロキシＭＩＰｖ６を使用したネットワークに関する。
【背景技術】
【０００２】
ＭＩＰｖ６とも名付けられたモバイルＩＰｖ６プロトコル（インターネット・プロトコル・バージョン６）は、ＩＥＴＦ（Ｄ．Ｊｏｈｎｓｏｎ、Ｃ．Ｐｅｒｋｉｎｓ、Ｊ．Ａｒｋｋｏ、「Ｍｏｂｉｌｉｔｙ  Ｓｕｐｐｏｒｔ  ｉｎ  ＩＰｖ６」、ＩＥＴＦ  ＲＦＣ３７７５、２００４年６月を参照のこと、ｈｔｔｐ：／／ｗｗｗ．ｉｅｔｆ．ｏｒｇにて入手可能である）によって定義される。上位層およびアプリケーションに透過なやり方で、すなわち上位層接続を断つことなしに移動装置（移動ノードまたは移動局とも呼ばれる）がサブネット間で移動することを可能にするＩＰベースの移動性プロトコルである。したがって、移動装置は、ＩＰｖ６インターネット網内であちこち移動する間、連絡がとれる状態のままである。
【０００３】
ＭＩＰｖ６の主な原理は、移動ノードがインターネット上のどんなトポロジ位置にいるにせよ、常にそのホーム・アドレス（ＨｏＡ：Ｈｏｍｅ−Ｏｆ  Ａｄｄｒｅｓｓ）によって識別され、また移動装置の気付けアドレス（ＣｏＡ：Ｃａｒｅ−Ｏｆ  Ａｄｄｒｅｓｓ）が移動装置の現在のトポロジ位置に関する情報を提供するということである。
【０００４】
移動装置のＩＰｖ６移動性を管理するために、ＩＥＴＦは、プロキシＭＩＰｖ６プロトコルを定義している。このプロトコルは、２つの論理機能、ＭＡＧ（Ｍｏｂｉｌｅ  Ａｃｃｅｓｓ  Ｇａｔｅｗａｙ：モバイル・アクセス・ゲートウェイ）およびＬＭＡ（Ｌｏｃａｌ  Ｍｏｂｉｌｉｔｙ  Ａｎｃｈｏｒ：ローカル・モビリティ・アンカー）に基づく。ＭＡＧ機能は、移動装置のネットワーク・アクセスを処理し、装置に代わってＬＭＡ機能（拡張型ホームエージェントＨＡとして働く）に向かってＭＩＰｖ６シグナリング（バインディング・プロトコル）を実施する役割を担う。
【０００５】
具体的には、ＭＡＧは、移動装置がそれ自体を接続する特定のバインド層技術の終端となる装置に組み込まれたルータである。ＬＭＡは、複数のＭＡＧへの接続の終端となるルータであり、ネットワーク内で移動する移動装置への移動性要求を処理するルータである。
【０００６】
移動装置が、同じＬＭＡに接続されたそれぞれ異なるＭＡＧの間でローミングしているとき、それぞれのＭＡＧは、装置がＭＡＧのアクセス・ネットワークへのエントリを実施した後、ＰＢＵ（Ｐｒｏｘｙ  Ｂｉｎｄｉｎｇ  Ｕｐｄａｔｅ：プロキシ・バインディング更新）を発行する。
【０００７】
しかし、ネットワークおよびローミング条件によっては、それぞれ異なるＭＡＧからの同時ＰＢＵが、ＬＭＡによって期限切れで受け取られることがある。たとえば、ＬＭＡは、最初に発行されたＰＢＵを最後に受け取ることがある。
【０００８】
したがって、現在の装置位置を追跡するためにＬＭＡレベルでＰＢＵ順序を保証するための機構を導入すべきである。ＩＥＴＦ仕様書は、２つの方法、シーケンス番号およびタイムスタンプについて調査している。
【０００９】
シーケンス番号の解決策は、ＭＡＧによって発行された各ＰＢＵがシーケンス番号を保持することを提案している。この解決策は、複数のＰＢＵが同じＭＡＧによって発行される場合はうまく働くが、それは、端末がＭＡＧを変更する場合には改良を必要とする。この解決策を改良するために、ＩＥＴＦは、端末のシーケンス番号を永続的なものとし、シーケンス番号が、ＡＡＡ（Ａｕｔｈｅｎｔｉｃａｔｉｏｎ，Ａｕｔｈｏｒｉｚａｔｉｏｎ  ａｎｄ  Ａｃｃｏｕｎｔｉｎｇ：認証、許可およびアカウンティング）基盤を使用して認証時間にＭＡＧによって取り出されることを提案している。この改良は、それによってＭＩＰｖ６プロトコルに追加の依存性が生じるので、ＩＥＴＦにおける合意をあまり得ていない。
【００１０】
タイムスタンプ解決策は、ＭＡＧによって発行された各ＰＢＵがタイムスタンプを保持することを提案している。この解決策がうまく働くには、ＬＭＡとＭＡＧが絶対的なやり方で時間同期されることが必要となる。これは、ＮＴＰ（Ｎｅｔｗｏｒｋ  Ｔｉｍｅ  Ｐｒｏｔｏｃｏｌ：ネットワーク時間プロトコル）などの時間同期プロトコルを使用することを意味する。この改良は、それによってＭＩＰｖ６プロトコルに追加の依存性および複雑さが生じるので、ＩＥＴＦにおける合意をあまり得ていない。
【先行技術文献】
【非特許文献】
【００１１】
【非特許文献１】Ｄ．Ｊｏｈｎｓｏｎ、Ｃ．Ｐｅｒｋｉｎｓ、Ｊ．Ａｒｋｋｏ、「Ｍｏｂｉｌｉｔｙ  Ｓｕｐｐｏｒｔ  ｉｎ  ＩＰｖ６」、ＩＥＴＦ  ＲＦＣ３７７５、２００４年６月
【非特許文献２】ｈｔｔｐ：／／ｗｗｗ．ｉｅｔｆ．ｏｒｇ
【発明の概要】
【発明が解決しようとする課題】
【００１２】
したがって、従来技術の方法は、前記ＬＭＡに接続されたそれぞれ異なるＭＡＧ間を移動装置がローミングしているとき、ＬＭＡレベルでＰＢＵを順序付けするための単純で効率的な、実際に役立つ解決策を現在提供できていない。本発明は、単純なＭＩＰｖ６バインディング・プロトコル拡張を利用し、追加のプロトコル依存性を必要としない、こうした移動性を管理するための方法を提案することを目的とする。
【課題を解決するための手段】
【００１３】
その目的のために、また第１の態様によれば、本発明は、モバイル・アクセス・ゲートウェイ（ＭＡＧ）論理機能とローカル・モビリティ・アンカー（ＬＭＡ）論理機能とを備えるプロキシＭＩＰｖ６プロトコルを使用したネットワーク内で移動装置の移動性を管理するための方法を提案し、移動装置が、同じＬＭＡに接続されたそれぞれ異なるＭＡＧ間でローミングしており、移動装置がＭＡＧのアクセス・ネットワークへのエントリを実施するときに、前記ＭＡＧが、移動装置をＬＭＡにバインドするためにプロキシ・バインディング更新（ＰＢＵ：Ｐｒｏｘｙ  Ｂｉｎｄｉｎｇ  Ｕｐｄａｔｅ）を発行する。ＬＭＡ時間は、初期化され、ＬＭＡ内に維持され、この方法は、ＬＭＡと、それに接続されたＭＡＧのすべてとの間の相対時間同期手順を備え、前記手順が、ＬＭＡ時間を要求する特定のセマンティクスを有するＰＢＵを各ＭＡＧが送信することを定めており、ＬＭＡによって送信されたＰＢＵ肯定応答（ＰＢＵ−Ａｃｋ）がこうしたＬＭＡ時間を含み、前記ＬＭＡ時間がさらに各ＭＡＧ内で維持され、この方法はさらに、ＭＡＧのすべてが、送信される各ＰＢＵ内に、現在の維持されたＬＭＡ時間を含むタイムスタンプを挿入するバインディング手順を備え、バインディング手順は、ＬＭＡタイムスタンプが付けられたＰＢＵをＭＡＧから受け取ると、ＬＭＡが、
−  移動装置をＬＭＡに現在バインドしている他のＭＡＧがない場合、あるいはタイムスタンプが、移動装置を現在バインドしているＭＡＧから受信されたタイムスタンプより新しい場合は成功ＰＢＵ−Ａｃｋを、
−  タイムスタンプが、移動装置を現在バインドしているＭＡＧから受信されたタイムスタンプより新しくない場合は期限切れＰＢＵ−Ａｃｋを送信することを定めている。
【００１４】
したがって、ＬＭＡとＭＡＧの間の相対時間同期が実施され、次いで、ＰＢＵ順序付けを保証するためにタイムスタンプ方法が使用される。さらに、本発明は、特定のセマンティクスを有する正規のＰＢＵ、およびＰＢＵ／ＰＢＵ肯定応答交換を用いることによりこうした時間同期を実施するために、ＭＩＰｖ６シグナリング使用を利用する。
【００１５】
第２の態様によれば、本発明は、プロキシＭＩＰｖ６プロトコルのためのモバイル・アクセス・ゲートウェイ（ＭＡＧ）論理機能を提案し、前記ＭＡＧが、移動装置をローカル・モビリティ・アンカー（ＬＭＡ）論理機能にバインドするためにプロキシ・バインディング更新（ＰＢＵ）を発行し、前記ＭＡＧが、ＰＢＵ内の特定のセマンティクスを使用することによってＬＭＡとの相対時間同期手順を要求し、前記ＭＡＧが、その中にＬＭＡ時間を維持する手段と、送信される各ＰＢＵ内に、現在の維持されたＬＭＡ時間を含むタイムスタンプを挿入する手段とを備える。
【００１６】
第３の態様によれば、本発明は、プロキシＭＩＰｖ６プロトコルのためのローカル・モビリティ・アンカー（ＬＭＡ）論理機能を提案し、前記ＬＭＡが、移動装置がエントリを実施するための手段によって、モバイル・アクセス・ゲートウェイ（ＭＡＧ）論理機能によって送信されたＰＢＵに応答してプロキシ・バインディング更新（ＰＢＵ）肯定応答（ＰＢＵ−Ａｃｋ）を発行し、前記ＬＭＡが、ＬＭＡ時間を初期化し、前記ＬＭＡ内に維持する手段と、ＭＡＧからＬＭＡタイムスタンプが付けられたＰＢＵを受け取ると、前記ＬＭＡが
−  移動装置をＬＭＡに現在バインドしている他のＭＡＧがない場合、あるいはタイムスタンプが、移動装置を現在バインドしているＭＡＧから受信されたタイムスタンプより新しい場合は成功ＰＢＵ−Ａｃｋを、
−  タイムスタンプが、移動装置を現在バインドしているＭＡＧから受信されたタイムスタンプより新しくない場合は期限切れＰＢＵ−Ａｃｋを送信することを定めているバインディング手順を実施する手段とを備える。
【００１７】
第４の態様によれば、本発明は、こうしたモバイル・アクセス・ゲートウェイ（ＭＡＧ）論理機能と、こうしたローカル・モビリティ・アンカー（ＬＭＡ）論理機能とを備えるプロキシＭＩＰｖ６プロトコルを使用したネットワークを提案する。
【００１８】
本発明の他の態様および利点は、添付の図を参照して行われる下記の説明において明らかになろう。
【図面の簡単な説明】
【００１９】
【図１】本発明の一実施形態による相対時間同期手順の実装を表す図である。
【図２】本発明の一実施形態によるバインディング手順の実装を表す図である。
【発明を実施するための形態】
【００２０】
本発明は、ＩＥＴＦによって定義されたプロキシＭＩＰｖ６プロトコルを使用したネットワーク内で、移動端末や局などの移動装置ＭＳの移動性を管理するための方法に関する。
【００２１】
具体的には、ＭＩＰｖ６プロトコルは、ＭＡＧ（モバイル・アクセス・ゲートウェイ）論理機能とＬＭＡ（ローカル・モビリティ・アンカー）論理機能とを備える。ＭＡＧ機能は、移動装置ＭＳのネットワーク・アクセスを処理し、装置に代わってＬＭＡ機能（拡張型ホームエージェントＨＡとして働く）に向かってＭＩＰｖ６シグナリング（バインディング・プロトコル）を実施する役割を担う。
【００２２】
移動装置ＭＳが、同じＬＭＡに接続されたそれぞれ異なるＭＡＧの間でローミングしているとき、前記移動装置が、ＭＡＧのアクセス・ネットワークへのエントリを実施する。次いで、ＭＡＧは、移動装置ＭＳをＬＭＡにバインドするためにＰＢＵ（プロキシ・バインディング更新）を発行する。
【００２３】
この方法は、ＬＭＡと、それに接続されたＭＡＧのすべてとの間の相対時間同期手順を備える。そうするために、ＬＭＡ時間は、初期化され、ＬＭＡ内で維持される。具体的には、ＬＭＡ時間は、ＬＭＡ活動および再開によって常に増加するように、ＬＭＡによって初期化され維持される。
【００２４】
相対時間同期手順は、ＬＭＡ時間を要求する特定のセマンティクスを有するＰＢＵを各ＭＡＧが送信することを定めており、ＬＭＡによって送信されたＰＢＵ肯定応答（以下、ＰＢＵ−Ａｃｋ）が、こうしたＬＭＡ時間を含む。たとえば、特定のセマンティクスは、ＭＩＰｖ６  ＰＢＵの気付けアドレスＣｏＡおよびホーム・アドレスＨｏＡを表す事前定義された値に対応してよい。具体的には、事前定義された値は、領域空間において競合しないＮＵＬＬまたは他の値であってよい。
【００２５】
次いで、ＬＭＡ時間は、各ＭＡＧ内に維持される。さらに、時間精度をＬＭＡ時間に関連付けることができ、前記時間精度は、ＭＡＧがＬＭＡ時間を前記精度内に維持するために、ＰＢＵ−Ａｃｋ内に挿入される。たとえば、精度は、ミリ秒倍数で表すことができ、１秒以下である。時間値および時間精度は、ＬＭＡによって定義され、このＬＭＡに接続されたＭＡＧのすべてについて一貫しているように保たれる。
【００２６】
それぞれのＭＡＧは、対応する精度を有するＬＭＡ時間を維持する役割を担う。具体的には、ＭＡＧは、局所的な時間のずれによってもたらされ得るいずれかの時間補正を局所的に適用する役割を担う。
【００２７】
図１に関連して、相対時間同期手順は最初に、ＭＡＧ開始時、またはＭＡＧが新しいＬＭＡを発見するときに実施される。そうするために、ＭＡＧは、ＮＵＬＬ  ＣｏＡおよびＮＵＬＬ  ＨｏＡを有するＰＢＵを送信する。ＰＢＵは、ＭＡＧ−ＬＭＡセキュリティ関連付けによって保護される。
【００２８】
開始以来その現在の時間を維持しているＬＭＡは、現在の時間値（ｖａｌ１）とクロック精度（ｖａｌ２）とを含むＰＢＵ−Ａｃｋで応答する。ＰＢＵ−Ａｃｋは、ＭＡＧ−ＬＭＡセキュリティ関連付けによって保護される。次いで、ＭＡＧは、ＬＭＡ時間を格納し、指定された精度でＬＭＡ時間を維持し始める。
【００２９】
さらに、ＭＡＧとＬＭＡの間の接続中に、さらなる相対時間同期手順を実施することができ、前記手順は、前記ＭＡＧ内でＬＭＡ時間補正を達成するためにＭＡＧによって要求される。
【００３０】
さらに、ＭＡＧは、いくつかのＬＭＡに接続される場合には、ＭＡＧが接続されたＬＭＡのすべてとの初期および最後のさらなる相対時間同期手順を実施し、ＬＭＡ時間のそれぞれが、ＭＡＧ内で別々に維持される。さらに、ＭＡＧは、ＰＢＵの対象であるＬＭＡによって決まる正確なＬＭＡ時間を維持し使用する役割を担う。
【００３１】
この方法はさらに、ＭＡＧのすべてが、送信される各ＰＢＵ内に、現在の維持されたＬＭＡ時間を含むタイムスタンプを挿入するバインディング手順を備える。
【００３２】
バインディング手順は、ＭＡＧからＬＭＡタイムスタンプが付けられたＰＢＵを受け取ると、ＬＭＡが、
−  移動装置ＭＳをＬＭＡに現在バインドしている他のＭＡＧがない場合、あるいはタイムスタンプが、移動装置ＭＳを現在バインドしているＭＡＧから受信されたタイムスタンプより新しい場合は成功ＰＢＵ−Ａｃｋを、
−  タイムスタンプが、移動装置ＭＳを現在バインドしているＭＡＧから受信されたタイムスタンプより新しくない場合は期限切れＰＢＵ−Ａｃｋを送信することを定めている。
【００３３】
したがって、ＬＭＡは、移動装置ＭＳのためのＰＢＵを受け取るとき、ＰＢＵ内に保持されたタイムスタンプを、もしあれば、現在バインドしているＭＡＧのタイムスタンプと比較しなければならない。受信されたＰＢＵのタイムスタンプが現在バインド中のタイムスタンプより新しい場合、またはその移動装置ＭＳについてバインディングが現在存在していない場合、ＬＭＡは、ＰＢＵを受け付け、成功ＰＢＵ−Ａｃｋを送信する。タイムスタンプが現在のバインディング中のタイムスタンプより古い場合、ＰＢＵは、期限切れであり、特定のエラー条件（「期限切れ」）を保持するＰＢＵ−Ａｃｋで肯定応答するものとする。ＰＢＵは、ＬＭＡによって静かに廃棄されるものとし、ＭＡＧは、期限切れエラー条件を有するＰＢＵ−Ａｃｋを受信する場合、移動装置ＭＳをＭＡＧのアクセス・ネットワークから外れたものとみなすものとする。
【００３４】
図２に関連して、プロキシＭＩＰｖ６プロトコルを使用したネットワーク内に含まれたＬＭＡを備えた２つのＭＡＧのためのバインディング手順について以下に述べる。それぞれのＭＡＧは、その中にＬＭＡ時間を維持する手段と、送信される各ＰＢＵ内に、現在の維持されたＬＭＡ時間を含むタイムスタンプを挿入する手段とを備える。さらに、ＬＭＡは、ＬＭＡ時間を初期化し、ＬＭＡ内に維持する手段と、上述したようにバインディング手順を実施する手段とを備える。
【００３５】
移動装置は、ＭＡＧ１でネットワーク・エントリを実施するとき、タイムスタンプ＝Ｔ１を有するＰＢＵを送信する。Ｔ１は、最後の相対同期以降にＭＡＧ１によって維持されるＬＭＡを表す現在時間値である。さらに、ＰＢＵは、ＭＡＧ１−ＣｏＡとＭＳ  ＨｏＡとを含む。
【００３６】
移動装置ＭＳは、高速にローミングし、ＭＡＧ２でネットワーク・エントリを実施する。ＭＡＧ２は、タイムスタンプ＝Ｔ２を有するＰＢＵを送信する。Ｔ２は、最後の相対同期以降にＭＡＧ２によって維持されるＬＭＡを表す現在時間値である。ＭＡＧ１とＭＡＧ２が同じＬＭＡ時間基準を有するので、Ｔ２は、Ｔ１より大きい。
【００３７】
ＭＡＧ１とＬＭＡの間の通過遅延（ｔｒａｎｓｉｔ  ｄｅｌａｙ）が過大であり、ＭＡＧ２とＬＭＡの間の通過遅延が非常に小さい場合、ＬＭＡは、ＭＡＧ２  ＰＢＵを最初に受け取る。それは、移動装置ＭＳのためのＰＢＵを格納する。ＬＭＡは、ＭＡＧ１  ＰＢＵを最後に受け取る。それは、受信されたＰＢＵタイムスタンプ（Ｔ１）を現在のＰＢＵタイムスタンプ（Ｔ２）と比較する。Ｔ２がＴ１より大きいので、ＬＭＡは、ＭＡＧ１  ＰＢＵを遅れている（遅延した）とみなし、ＰＢＵ−Ａｃｋ内の期限切れエラー・コードでＰＢＵを拒否する。
【図１】
0005496216.tif 000002
【図２】
0005496216.tif 000003